(57)【特許請求の範囲】
【請求項１】
フルートのＨ足部管において、一端をＤ♯キーの裏側に接触（図６）させることによりＤ♯キーを押し下げるとＣキーをも同時に押し下げることを可能にするＣキーシンクロカム下部に硬ロー付けされた乃至はＣキーシンクロカムと一体成型された連動装置（図２）を持つキー・システム（図１ａ）。
【発明の詳細な説明】
【０００１】
【発明の属する技術分野】
本件は、フルートのＨ足部管において、Ｄ♯キーを押し下げトンホールＤ♯を開放すると同時にＨ足部管のＣキーが押し下げられ、それに因ってＨ足部管のトンホールＣが閉じ塞がられることを可能とする連動装置を持つキー・システムの発明に関するものである。本発明は、それが対象とするフルートはフルート属の全種類である。また、フルートのＣ足部管においても応用可能であり、フルートと同じような機構を持つ木管楽器においても応用可能である。
【０００２】
【従来の技術】
説明に入る前に、用語の解説を簡潔に記述する（図４）。キー名はそのキーに対応するトンホール名（音孔名）に由来する。同じく、キーと一体化し内部に挿入されているパッドによって直接トンホールを開放したり閉じ塞いだりするカップの呼び名もそのトンホール名（音孔名）に由来しているＤ♯キー・Ｄ♯カップはトンホールＤ♯に対応し、以下、Ｄキー・ＤカップはトンホールＤ、Ｃ♯キー・Ｃ♯カップはトンホールＣ♯、Ｃキー・ＣカップはトンホールＣにそれぞれ対応している。しかし、トンホールＣ♯が開放されていればＣ♯音が発音されるという理屈から、例えば右手小指で足部管のＤキーを押し下げてトンホールＤを閉じ塞げば隣に位置するトンホールＣ♯が開放されていることによりキーの呼び名Ｄよりも半音低いＣ♯音が発音されることになる。キー名・カップ名とトンホール名は一致するが、トンホールが閉じ塞がられて発音される音名はそれらよりも半音低い音名となる所以である。因みに、Ｈ足部管の最低音Ｈ音は足部管の管端（管の開口部）（８１）により発音され、Ｃ足部管の最低音Ｃ音もまた足部管の管端（管の開口部）（９１）により発音される。従って、それらに対応する加工されたトンホールは無い。尚、Ｈ音はハーおんと読まれ、Ｈ足部管はハーそくぶかんと読まれる。Ｈはドレミ音階名のシにあたり、明治以降日本で採用されてきたドイツ音名である。英語圏ではＨをＢと表記する。
【０００３】
さて、フルートの足部管には、最低音にＣ音を持つＣ足部管（図８）と、Ｃ音よりも半音低いＨ音を最低音に持つＨ足部管（図７）の２種類がある。Ｃ足部管は３個（Ｄ♯・Ｄ・Ｃ♯）のキーとそれぞれに対応するトンホールを３個持ち、Ｈ足部管は４個（Ｄ♯・Ｄ・Ｃ♯・Ｃ）のキーとそれぞれに対応するトンホールを４個持っている。管体上には４個〜５個のポストが垂直に立てられていて、球形の上部には穴開け加工（８８・図４）乃至はネジ加工（８９・図４）が施されている。それらのポストを串刺しするように１本のネジ付き芯金（８６・８７・図４）を貫通させることによってキーの組み立て及びキーの運動を準備する。全てのキーには回転揺動の為のパイプが接合されている。そのパイプの中に芯金を貫通させ、ポストに装備されている金属線バネ（８５）の一端をキーパイプのバネ掛け（８４・図１ａ）に掛け、フルート演奏者の右手小指による押し下げ力と金属線バネによる反発力とによりキーの回転運動を可能にしトンホールを開閉する仕組みである。両足部管とも演奏の際には右手小指だけを使って動かされるが、使用されない自然状態時には、Ｄ♯キー（４２）に付属するＤ♯カップ（４３）はトンホールＤ♯（４１）を閉じ塞いでおり、その他のキー（Ｄ・Ｃ♯・Ｃ）に付属するカップ（Ｄ・Ｃ♯・Ｃ）はそれぞれに対応するトンホール上方４ｍｍ前後の高さで待機している。Ｃ♯キー（２２）およびＣキー（１２）には、右手小指のスムーズな移動を得る為に回転ローラー（図３ｂ）が装備されている。
【０００４】
Ｄキー（３２・図７・図８）は押し下げられることによりトンホールＤを閉じ塞ぎ最低音域のＣ♯音の発音を可能にし、Ｃ♯キー（２２・図３ａ）はシンクロカム（２８）の下部（２５）に接着された緩衝材（２６）がＤキー（３２）に装備されているＤキー連絡板（３８）の上に接触していて、押し下げられると同時にＤキーをも押し下げてトンホールＤと共に自らの役目であるところのトンホールＣ♯を閉じ塞ぎ最低音域のＣ音の発音を可能にする。一方Ｄ♯キー（４２・図７・図８）は他のキーと連動しない独立したキーで、押し下げられることによりキーに付随しているＤ♯カップ（４３）が閉じ塞いでいたトンホールＤ♯（４１）を開放し本来の役目であるところのＤ♯音を発音する時に用いられるほか、フルートに通常要求される３７〜３８個の音群中最低音域のＨ音・Ｃ音・Ｃ♯音・Ｄ音・中音域のＤ音・最高音域のＡ♯音・Ｈ音・Ｃ音の８個の音を除く全ての音の発音で常時併用され、フルートの演奏に際しては最も使用頻度の高いキーのひとつである。それに対しＨ足部管のＣキー（図１ｂ・図７）は同じく独立したキーではあるが、最高音域のＣ音の発音に際して補助的に使用される（１５）以外は、本来の役目であるところの最低音Ｈ音を発音する時にのみ用いられ、押し下げられることにより開放されていたトンホールＣ（１１）を閉じ塞ぐ使用頻度の極めて低いキーである。１９世紀から２０世紀後半にかけてはＣ足部管が主流の座を占めていたが、２０世紀後半以降はＨ足部管の普及が目覚しく進展している。
【０００５】
一般にＨ足部管は、Ｃ足部管では得られないＨ音を可能にすることに加えて、Ｃ足部管に較べ音色や音量・響き、音程や吹奏感に別の趣を持つことで知られている。いぶし銀のような落ち着いた音色・安定した音程、という好ましい評価に対し、雑音が混じったような響き・詰まったような吹奏感といった短所を指摘されてもいる。どちらの相対評価においても、（ｉ）管体が半音分長くなったことと、キー（Ｃキー）が１個増えたこと（図７）による重量変化が原因する、（ｉｉ）トンホール（トンホールＣ）が１個増えたこと（図７）により、倍音の形成に何らかの音響学的な影響を生じせしめたことが原因する、などが主な理由として挙げられている。また、Ｈ足部管は最低音Ｈ音を持つことにより音楽表現の幅に拡がりを創り出した。しかし演奏技術の点においては、Ｃ足部管のキー３個（Ｄ♯・Ｄ・Ｃ♯）（図８）からキー４個（Ｄ♯・Ｄ・Ｃ♯・Ｃ）（図７）へと１個増えたことにより、特殊な作品の演奏を除けば、右手小指での操作の幅がもはや限界に達したとも言われている。従来から完成度の高かったＣ足部管と同様、幾らかの工夫が加えられては来たものの、Ｈ足部管についても完成の域に達したとして今日に至っている。
【０００６】
【発明が解決しようとする課題】
しかし、Ｈ足部管付フルートとＣ足部管付フルートの両足部管におけるこれらの相対評価、特に雑音が混じったような響き・詰まったような吹奏感といった短所を根本的に検証・検討し直すために、〔１〕Ｈ足部管付のフルートについて、〔２〕Ｃ足部管付のフルートについて、様々な技術的実験および演奏実験をそれぞれで試みた。
【０００７】
〔１〕Ｈ足部管について（図７）。右手小指を使わずに輪ゴム等の補助手段を用いてＣキー（１２）を押し下げＣカップ（１３）がトンホールＣ（１１）を閉じ塞いだ状態で、Ｄ♯キー（４２）を通常どおり右手小指で併用しながら最低音域のＤ音から最高音域のＣ音にかけての音群を演奏してみると、雑音が混じったような響き・詰まったような吹奏感といった短所は一掃され、フルートの理想として追究されてきた発音・音程・音色・音量・響きの一様性・安定性・確実性を見事に向上させた。この実験結果は、フルートメーカー、フルートの材質（銀メッキ・総銀・金銀・総金・等々）、フルートの種類、の如何によって少しも揺るがない。またこの実験とは別に、ＣキーをＨ足部管から取り外してしまいトンホールＣを丸見えの状態にしての演奏実験においても、殆ど同じ結果が得られた。このように、閉じても外しても良い結果が得られるということから、Ｃキーを使用しない音の発音時にはＣカップ（１３）がトンホールＣ（１１）上方４ｍｍ前後の高さの位置で常時待機しているという通常の状態を回避すれば良い。これは全く予想外の常識を超えた結論と言わざるを得ない。使用頻度が極めて少ないにもかかわらずＨ音を発音するという役割と魅力によって１９世紀後半以来用いられてきたＨ足部管およびＣキー。そのＣカップがトンホールＣ上方で常時使用待ち状態にあること自体が、フルート全体の響きに重大な影響を及ぼしていた訳である。だからといってＨ足部管からＣキーを取り外すという行為は現時点では非現実的ではある。以上の実験ならびに考察から、Ｈ足部管付のフルートの演奏に際しては最低音域のＣ音・Ｃ♯音を除く全ての音の発音においてＣキー（１２）を押し下げＣカップ（１３）がトンホールＣ（１１）を閉じ塞いだ状態を作り出せば、雑音が混じったような響き・詰まったような吹奏感といった短所を根本的に排除できるという結論に達した。
【０００８】
〔２〕Ｃ足部管について（図８）。Ｈ足部管においてと同様右手小指を使わずに、輪ゴム等の補助手段を用いてＣ♯キー（２２）を押し下げてＣ♯カップ（２３）がトンホールＣ♯（２１）を閉じ塞ぐ実験を試みる。しかしその前に（図３ａ）、通称Ｄキー連絡板（３８）と呼ばれる連絡部をＤキー（３２）から取り外さなければならない。何故ならば、Ｈ足部管Ｃ足部管共にＣ♯キーシンクロカム（２８）の下部（２５）に接着されている緩衝材（２６）がＤキー連絡板と接触していて、Ｃ♯キーを押し下げると自動的にＤキーも押し下げられるメカニズムとなっているからである。このＤキー連絡板はＤキーのキーストッパーの役目も果たしているために、Ｄキー連絡板の取り外しに伴い（図５）新たにキーストッパー（５７）をカップ（５３）後部へ装備しなければならない。さて、かかる準備をしたのちに、Ｈ足部管においてと同様右手小指を使わずに輪ゴム等の補助手段を用いてＣ♯キー（２２）を押し下げＣ♯カップ（２３）がトンホールＣ♯（２１）を閉じ塞いだ状態で、Ｄ♯キー（４２）を通常どおり右手小指で併用しながら最低音域のＤ♯音から最高音域のＡ音にかけての音群を演奏してみると、従来のＣ足部管よりも発音・音程・音色・音量・響きの一様性・安定性・確実性を更に向上させた。またこの実験とは別に、Ｃ♯キーをＣ足部管から取り外しトンホールＣ♯を丸見えの状態にして演奏実験を試みても、殆ど同じ結果が得られた。このように、閉じても外しても良い結果が得られるということから、Ｈ足部管とＣキーの関係と同様にＣ足部管のＣ♯キーにおいてもＣ♯キーを使用しない音の発音時にはＣ♯カップ（２３）がトンホールＣ♯（２１）上方４ｍｍ前後の高さの位置で常時待機しているという通常の状態を回避すれば良い。勿論、Ｈ足部管からＣキーを取り外すという行為と同様にＣ足部管からＣ♯キーを取り外すという行為もまた現時点では非現実的ではある。以上の実験ならびに考察から、Ｃ足部管付のフルートの演奏に際しては最低音域のＣ♯音・Ｄ音・中音域のＤ音・最高音域のＡ♯音・Ｈ音・Ｃ音を除く全ての音の発音においてＣ♯キー（２２）を押し下げＣ♯カップ（２３）がトンホールＣ♯（２１）を閉じ塞いだ状態を作り出せば、発音・音量・響きの改善および演奏者自身によって明瞭に感じ取られる吹奏感の向上を実現できるという結論に達した。
【０００９】
【課題を解決するための手段】
以上試みてきたように、従来のＨ足部管とＣ足部管に関する様々な相対評価を根本的に検証・検討し直した結果、右手小指一本だけでＨ足部管におけるＤ♯キーとＣキーあるいはＣ足部管におけるＤ♯キーとＣ♯キーを同時に押し下げることを可能にする連動装置を持つキー・システムの実効性ならびに重要性・必要性が認識され、これを発想の根拠および課題とし、その課題を解決するための手段として本発明が生まれるに至った。
本発明は、フルートのＨ足部管において、Ｄ♯キーを押し下げＤ♯カップがトンホールＤ♯を開放すると同時にＨ足部管のＣキーが押し下げられ、それに因ってＨ足部管のトンホールＣが閉じ塞がられることを可能とする連動装置を持つキー・システムの発明に関するものである。Ｄ♯キー（４２）はフルートの演奏に際して最も使用頻度の高い独立したキーのひとつで、右手小指で押し下げられることによりＤ♯カップ（４３）が閉じ塞いでいたトンホールＤ♯（４１）を開放する。他方Ｃキー（１２）あるいはＣ♯キー（２２）は、右手小指で押し下げられることによりＣカップ（１３）あるいはＣ♯カップ（２３）が開放されていたトンホールＣ（１１）あるいはトンホールＣ♯（２１）を閉じ塞ぐ使用頻度の極めて低いキーである。そこで、Ｈ足部管のＣキーシンクロカム（２７）にＤ♯キーと連動させる為の装置（図２）を硬ロー付け乃至はシンクロカムと一体成型し、その装置の一端をＤ♯キーの裏側（図６）へ接触させると、Ｄ♯キーを押し下げＤ♯カップがトンホールＤ♯を開放すると同時にＨ足部管のＣキーが押し下げられトンホールＣが閉じ塞がられるキー・システム（図５）となる。
【００１０】
【発明の実施の形態】
図１ａは本発明の実施の形態の斜視図である。
図２は、本発明の中核となる連動装置（６１）の拡大斜視図である。この連動装置の製作にあたっては、材質は当該キーシンクロカムの材質と同じ物を使用することを原則とし、一般的な鋳造あるいは鍛造により製作できる。直角面（６２）はシンクロカム下部（２５・図３ｂ）との硬ロー付け部位であり、シンクロカム下部に硬ロー付け乃至は初めからシンクロカムと一体成型されることにより本発明の実施を可能とする。突起部位（６３）はＤ♯キーの裏側に接触しＤ♯キーが押し下げられると同時に自動的に連動装置が押し下げられることを可能とするが、Ｄ♯キーが突起方向にシンクロカム下部よりも下方へ傾斜していることから、突起部位（６３）も同様の傾きを持っている。また突起部位（６３）はキーストッパーの役目をも持っている為に、突起部位（６３）とＤ♯キー裏側との接触（図５）において金属同士による衝突音の発生を防止する緩衝物としてフェルト材（４９）が両者の間に介在している。Ｄ♯キーが押し下げられることによって立ち上げられるＤ♯カップ（４３）のトンホールＤ♯（４１）からの適正開放距離は、Ｄ♯キーの裏側に接着されているコルク材（４６）の厚さで決定されることを原則とするが、緩衝用フェルト材（４９）の厚みの調整もまた重要な作業となる（図５）。何故ならばフェルト材が厚すぎればＤ♯キーのコルクが管体の表面上に届かず浮いた状態のまま連動装置付きのキーが先に閉じ終わり、従ってＤ♯カップ（４３）のトンホールＤ♯（４１）からの適正開放距離を確保できなくなるからである。他方フェルト材が薄すぎればＤ♯キーのコルク材が管体の表面上に届きＤ♯カップ（４３）のトンホールＤ♯（４１）からの適正開放距離は確保できるが、今度は連動装置付きのキーが閉じ終わらず従って発明の効果を十分に得られない不安が生ずる。しかしながら実験結果によれば、それらの相互調整においては厳密な条件を設定する必要は無く、コルク材・フェルト材・連動装置付きのキー・カップ内に挿入されているパッド等々の柔軟性および弾力性によって楽器使用時に適正化され、加えてＤ♯キーを押し下げる演奏者の右手小指の強さが調整の適正化を更に促進する為に、フルートメーカーやフルート修理人の仕事に求められる通常の精度で十分に対応できる。本発明の連動装置（６１）を使用しての従来のＨ足部管及びＣ足部管への応用・改造もまた、実施できる。
【００１１】
【発明の効果】
２００年に亘るフルートのキーメカニズムの研究開発では、殆どの事例において開発の対象はそのキーが直接関与する音のみに限定されていた。それに対し本発明の連動装置を持つキー・システムは、それが直接関与するＤ♯音の改善を実現するに留まらず、フルートの演奏に際して使用頻度の高い３０個前後の主要な音群の改善をも実現した点に、従来の開発とは著しく異なる特徴をもっている。フルートのＨ足部管に本発明の連動装置を持つキー・システムを導入することにより、演奏時にＤ♯キーを併用する全ての音の発音・音程・音色・音量・響きの改善、及び演奏者自身によって明瞭に感じ取られる吹奏感の向上を実現する。
この連動装置を持つキー・システムは、キーのストッパー方式の改善をも実現する。フルートのキーストッパー方式は３種類、（ｉ）トンホール（音孔）上部表面を、（ｉｉ）管体の表面上を、（ｉｉｉ）連動するキーの連絡部を、それぞれ停止位置としているが、そのうち（ｉｉ）管体の表面上（図１ｂ）を停止位置としている場合と（ｉｉｉ）連動するキーの連絡部（図３ａ）を停止位置としている場合において、キーストッパーの裏側と停止位置部分との間には金属による衝突音を避けるための柔らかな素材（皮・紙・プラスチック・フェルトやコルク等）による緩衝物（１６）・（２６）が介在している。しかし、停止位置（ｉｉ）の管体の表面上に緩衝物（１６）を接触させることは、管体の振動が抑えられることを意味する為に、フルート全体の響きに悪影響を与える原因とされている。本発明の連動装置を持つキー・システムの導入により、この連動装置そのものが同時にキーストッパーの役目を果たす為、連動装置を硬ロー付け乃至は連動装置と一体成型されたＨ足部管のＣキーにとって従来のキーストッパーは不要となり、緩衝物を貼り付けられ管体の表面上を停止位置としていたそのキーストッパー部分（１７）を除去することが可能となった。したがってフルート全体の響きに悪影響を与えるとされている原因の一部を取り除くことに成功した。
【図面の簡単な説明】
【図１】ａ  本発明の実施の形態を示すＣキーシンクロカム下部用連動装置付きＣキーの斜視図。ｂ  従来のＣキーの斜視図。
【図２】シンクロカム下部用連動装置の拡大斜視図と側面図。
【図３】ａ  Ｈ足部管並びに従来のＣ足部管におけるＣ♯キー・Ｄキー連動機構説明図。ｂ  キー連絡棒を硬ロー付けされたシンクロカムの下側斜視図。
【図４】Ｈ足部管の管体見取図並びにＣ足部管の管体見取図とその管端側からの側面図。
【図５】シンクロカム下部用連動装置付きのＨ足部管と並びに同仕様のＣ足部管のキー機構見取図およびＤ♯キー側からの側面図。
【図６】Ｄ♯キーとＣキーシンクロカム下部用連動装置付きＣキーの連動機構正面図。
【図７】従来のＨ足部管におけるキー機構と管体の正面図。
【図８】従来のＣ足部管におけるキー機構と管体の正面図。
【符号の説明】
１１・・・トンホールＣ
１２・・・Ｃキー（回転ローラー付き）
１３・・・Ｃカップ
１４・・・Ｃキー連絡棒
１５・・・最高音域Ｃ音用の補助キー
１６・・・緩衝用フェルト材
１７・・・Ｃカップのキーストッパー
２１・・・トンホールＣ♯
２２・・・Ｃ♯キー（回転ローラー付き）
２３・・・Ｃ♯カップ
２４・・・Ｃ♯キー連絡棒
２５・・・シンクロカム下部
２６・・・緩衝用フェルト材
２７・・・Ｃキーシンクロカム
２８・・・Ｃ♯キーシンクロカム
２９・・・シンクロカムと連絡棒との接合部位
３１・・・トンホールＤ
３２・・・Ｄキー
３３・・・Ｄカップ
３８・・・Ｄキー連絡板
４１・・・トンホールＤ♯
４２・・・Ｄ♯キー
４３・・・Ｄ♯カップ
４６・・・緩衝用コルク材
４９・・・緩衝用フェルト材
５２・・・常時単独可動Ｄキー
５３・・・常時単独可動Ｄカップ
５７・・・常時単独可動Ｄカップのキーストッパー
５８・・・従来のＣ♯キーのキーストッパー
６１・・・シンクロカム下部用連動装置
６２・・・硬ロー付け部位あるいは鋳造による一体成型連結部位
６３・・・Ｄ♯キー裏側と接触する突起部位
８１・・・Ｈ足部管の管端（Ｈ音を発音する開口部）
８２・・・胴部管とＨ足部管との接続部
８４・・・バネ掛け
８５・・・金属線バネ
８６・・・Ｈ足部管用芯金
８７・・・Ｃ足部管用芯金
８８・・・足部管用穴ポスト
８９・・・足部管用ネジポスト
９１・・・Ｃ足部管の管端（Ｃ音を発音する開口部）
９２・・・胴部管とＣ足部管との接続部
【図１】
0004022671.tif 000002
【図２】
0004022671.tif 000003
【図３】
0004022671.tif 000004
【図４】
0004022671.tif 000005
【図５】
0004022671.tif 000006
【図６】
0004022671.tif 000007
【図７】
0004022671.tif 000008
【図８】
0004022671.tif 000009